(57)【要約】【課題】公衆無線通信網の圏外に存在する携帯端末に、新たなデータを読み込ませることが可能であり、また携帯端末に読み込み可能なデータが制限されることのないデータ通信システムを提供する。【解決手段】データ通信システム１は、公衆無線通信網を介する通信が可能な携帯端末５Ａ，５Ｂと、公衆無線通信網の圏外の場所に設置され、携帯端末５Ａ，５Ｂと近距離無線通信を行う通信部を備えたデータ記憶装置３とを有している。データ記憶装置３は、前記通信部を通じて近距離無線通信の通信範囲内に存在する携帯端末５Ａからデータを受信して記憶する。携帯端末５Ｂは、前記通信部との近距離無線通信を通じて、データ記憶装置３に記憶されたデータを受信して記憶する。【選択図】図１
2010226677.tif 000002
【特許請求の範囲】
【請求項１】
公衆無線通信網を介する通信が可能な携帯端末と、
前記公衆無線通信網の圏外の場所に設置され、前記携帯端末と近距離無線通信を行う通信部を備えたデータ記憶手段とを有し、
前記データ記憶手段は、前記通信部を通じて前記近距離無線通信の通信範囲内に存在する前記携帯端末からデータを受信して記憶し、
前記携帯端末は、前記通信部との前記近距離無線通信を通じて、前記データ記憶手段に記憶されたデータを受信して記憶することを特徴とするデータ通信システム。
【請求項２】
前記データ記憶手段は、前記近距離無線通信によりデータを送信してきた前記携帯端末のうち、同一のデータを送信した前記携帯端末の数を計測する計測手段を備えることを特徴とする請求項１に記載のデータ通信システム。
【請求項３】
前記データ記憶手段は、当該データ記憶手段に記憶されているデータのリストを、前記近距離無線通信の通信範囲内に存在する前記携帯端末に送信し、
前記リストを受信した前記携帯端末は、前記リストに示されるデータの中からユーザが所望するデータの選択を受け付けるとともに、当該選択を受けたデータを前記データ記憶手段から受信して記憶することを特徴とする請求項１に記載のデータ通信システム。
【請求項４】
前記携帯端末は、ユーザが所望するデータを識別する識別情報を、他の携帯端末との無線通信、或いは前記近距離無線通信による前記データ記憶手段との通信を介して、前記他の携帯端末に送信し、
前記他の携帯端末は、前記識別情報に基づき前記所望のデータが記憶されているか否かを判定し、前記所望のデータが記憶されていると判定した場合、前記所望のデータを、前記識別情報を送信した前記携帯端末との無線通信、或いは前記近距離無線通信による前記データ記憶手段との通信を介して、前記識別情報を送信した前記携帯端末へ送信し、当該送信されたデータは、前記識別情報を送信した前記携帯端末において受信され記憶されることを特徴とする請求項１に記載のデータ通信システム。
【発明の詳細な説明】
【技術分野】
【０００１】
本発明は、公衆無線通信網の圏外に存在する携帯端末に、新たなデータを読み込ませることが可能であり、また携帯端末に読み込み可能なデータが制限されることのないデータ通信システムに関する。
【背景技術】
【０００２】
近年、携帯型メディアプレイヤーや携帯型ゲーム機などの携帯端末が普及しており、この種の携帯端末におけるデータの読み込み方法として以下の３通りの方法があげられる。
【０００３】
まず第１の方法は、自宅等に配置される端末に保存されているデータを、無線ＬＡＮや記録媒体を介して携帯端末に転送する方法である。この方法では、ユーザが携帯端末を所持して外出している際には、新たなデータを携帯端末に読み込ませることができない。
【０００４】
また第２の方法は、インターネットなどのネットワーク上のサーバに保存されたデータを、モバイル通信を利用してダウンロードする方法である。この例としては、モバイル通信を利用することで、音楽配信事業者から購入した音楽データを携帯端末にダウンロードする場合が該当する。この方法では、携帯端末へ新たなデータを読み込ませることができるのは、携帯端末を所持したユーザがモバイル通信の電波が届く場所にいる時のみであり、ユーザが地下鉄の車両内や地下街など電波が届かない場所にいる時には、携帯端末にデータを読み込ませることはできない。
【０００５】
また第３の方法は、データが保存されている媒体を携帯端末に挿入することで、携帯端末にデータを読み込ませる方法である。この例としては、携帯端末にゲームプログラムの記憶メディアを挿入することで、携帯端末に保存されるゲームプログラムを変更する場合などが該当する。この方法によれば、ユーザは、携帯端末とともに記憶メディアを所持していれば、携帯端末に新たなデータを読み込ませることができるが、携帯端末への読み込みが可能なデータは、記憶メディアに記憶されているデータに限られる。
【０００６】
以上のように第１〜３の方法では、携帯端末にデータを読み込ませることが可能な場所や、読み込み可能なデータが制限されるといった問題があり、これらの問題は、第１〜３の方法が組み合わされたとしても、解消することはできない。
【０００７】
ここで携帯電話の分野では、携帯電話の通信に使用される公衆無線通信網の圏外にある携帯電話から公衆無線通信網への接続を確立するための技術が提案されている。
【０００８】
例えば特許文献１には、公衆無線通信網の圏外の携帯電話から発信があった場合に、近隣の携帯電話を中継局とする通信が圏内の携帯電話に至るまで行われ、圏内の携帯電話まで通信が行われた際には、圏内の携帯電話が無線基地局と通信することで、圏外の携帯電話と公衆無線通信網との接続を確立する方法が開示されている。
【０００９】
また特許文献２には、公衆無線通信網の圏外の携帯電話から発信があった場合に、アドホック通信によって圏内の携帯電話との通信を図り、さらに、この圏内の携帯電話が無線基地局と通信することで、上述の圏外の携帯電話と公衆無線通信網との接続を確立する方法が開示されている。
【先行技術文献】
【特許文献】
【００１０】
【特許文献１】特開２００８−２８９０４５号公報
【特許文献２】特開２００８−２８３５３５号公報
【発明の概要】
【発明が解決しようとする課題】
【００１１】
しかしながら、特許文献１に開示された方法では、圏内の携帯電話と通信可能な圏外の携帯電話が存在しない場合には、発信を行った圏外の携帯電話と、公衆無線通信網との接続を確立することができない。例えば、地下鉄の車両が公衆無線通信網の圏内となる駅から遠く離れた場所を走向している場合には、車両内にある携帯電話は、その全てが、駅構内の携帯電話と通信を行うことができない。このため、車両内にある携帯電話が発信を行ったとしても、公衆無線通信網との接続を確立することができず、他の携帯電話とデータの送受信や通話を行うことができない。
【００１２】
また特許文献２に開示された方法では、圏外の携帯電話は、アドホック通信を行うことが可能な相手端末が無ければ、他の携帯電話とデータの送受信等を行うことができない。
【００１３】
本発明はこうした状況に鑑みてなされたものであり、本発明の目的は、公衆無線通信網の圏外に存在する携帯端末に、新たなデータを読み込ませることが可能であり、また携帯端末に読み込み可能なデータが制限されることのないデータ通信システムを提供することである。
【課題を解決するための手段】
【００１４】
上記目的を達成するため、本発明に係るデータ通信システムは、公衆無線通信網を介する通信が可能な携帯端末と、前記公衆無線通信網の圏外の場所に設置され、前記携帯端末と近距離無線通信を行う通信部を備えたデータ記憶手段とを有し、前記データ記憶手段は、前記通信部を通じて前記近距離無線通信の通信範囲内に存在する前記携帯端末からデータを受信して記憶し、前記携帯端末は、前記通信部との前記近距離無線通信を通じて、前記データ記憶手段に記憶されたデータを受信して記憶することを特徴とする。
【発明の効果】
【００１５】
本発明によれば、公衆無線通信網の圏外において、携帯端末はデータ記憶装置との近距離無線通信を通じてデータの送受信を行うことができるので、携帯端末にデータを確実に読み込ませることができる。
【００１６】
また、近距離通信網の範囲内に存在する携帯端末から送信されたデータをデータ記憶装置に記憶させるようにしていることで、近距離通信網の範囲内に多くの携帯端末が入ってくることで、データ記憶装置には多様なデータが記憶される。その結果、携帯端末は、多様なデータをデータ記憶装置から受信することができる。
【図面の簡単な説明】
【００１７】
【図１】本発明の実施の形態におけるデータ通信システムの全体構成を示す図である。
【図２】データ記憶装置の物理的な構成を示すブロック図である。
【図３】携帯端末の物理的な構成を示すブロック図である。
【図４】データ記憶装置が携帯端末からデータを受信する通信処理を示すフローチャートである。
【図５】携帯端末がデータ記憶装置からデータを受信する通信処理を示すフローチャートである。
【図６】図４の処理に代えて実行され得る処理を示すフローチャートである。
【図７】図４，６の処理に追加され得る処理を示すフローチャートである。
【図８】計測テーブルを示す図である。
【図９】図５の処理に代えて実行され得る処理を示すフローチャートである。
【図１０】図９の処理に追加され得る処理を示すフローチャートである。
【図１１】図５の処理に代えて実行され得る処理を示すフローチャートである。
【図１２】ステップＳ７０１で携帯端末の表示部に表示される画像を示す図である。
【図１３】図５，９，１１に示す処理に追加され得る処理を示すフローチャートである。
【図１４】ステップＳ８０２で携帯端末の表示部に表示される画像を示す図である。
【発明を実施するための形態】
【００１８】
以下、この発明の実施の形態について図面を参照しながら詳細に説明する。なお、図中同一または相当部分には同一符号を付し、その説明は繰り返さない。図１は、本発明の実施の形態におけるデータ通信システム１の全体構成を示す図である。
【００１９】
データ通信システム１は、データ記憶装置３と、音楽プレイヤーである携帯端末５とから構成される。
【００２０】
図２は、データ記憶装置３の物理的な構成を示すブロック図である。データ記憶装置３は、制御部３０と、主記憶部３１と、外部記憶部３２と、通信部３３とを含み、これらは、内部バス３４によって接続されている。
【００２１】
制御部３０は、ＣＰＵ（Central Processing Unit）から構成され、外部記憶部３２に記憶されているプログラムに従って各種処理を実行する。
【００２２】
主記憶部３１は、ＲＡＭ（Random-Access Memory）等の揮発性メモリから構成され、外部記憶部３２に記憶されているプログラムをロードして、制御部３０の作業領域として使用される。
【００２３】
外部記憶部３２は、ハードディスク等の不揮発性メモリから構成され、上述のプログラムや、携帯端末５で使用される音楽データなど各種データを記憶する。
【００２４】
通信部３３は、携帯端末５と近距離無線通信を行うインターフェースであって、近距離無線通信の通信網に存在する携帯端末５と無線通信によるデータの送受信を行う。
【００２５】
図３は、携帯端末５の物理的な構成を示すブロック図である。携帯端末５は、制御部５０と、主記憶部５１と、外部記憶部５２と、操作部５３と、表示部５４と、通信部５５とを含み、これらは内部バス５６によって接続されている。
【００２６】
制御部５０、主記憶部５１、外部記憶部５２は、上述の制御部３０、主記憶部３１、外部記憶部３２と同様の構成・機能を有するものであって、制御部５０は、外部記憶部５２に記憶されているプログラムに従って各種処理を実行し、主記憶部５１は、制御部５０の作業領域として使用され、外部記憶部５２は、上述のプログラムや音楽データなど各種データを記憶する。
【００２７】
操作部５３は、複数の操作ボタンを有し、ユーザが携帯端末５における処理を操作するために使用する。
【００２８】
表示部５４は、ＣＲＴ（Cathode Ray Tube）またはＬＣＤ（Liquid Crystal Display）などから構成され、各種画像を表示する。
【００２９】
通信部５５は、携帯端末５の公衆無線通信網や、データ記憶装置３の通信部３３との無線通信接続を行うインターフェースであり、この通信部５５により、携帯端末５は、公衆無線通信網の基地局やデータ記憶装置３とデータの送受信が可能である。
【００３０】
データ記憶装置３は、公衆無線通信網の圏外の場所（公衆無線通信網の電波が届かない場所）に配置される。図１に示す例では、データ記憶装置３が公衆無線通信網の圏外の場所として地下鉄の車両７内に配置された状態が示されており、この配置により、車両７内は、データ記憶装置３との近距離無線通信が可能な範囲となっている。また図１には、携帯端末５の例として携帯端末５Ａ，５Ｂが示されており、携帯端末５Ａ，５Ｂは、地下鉄の車両７に乗車しているユーザによって所持されている。この状況下では、携帯端末５Ａ，５Ｂの通信部５５は、携帯端末５の公衆無線通信網に接続することはできないが、データ記憶装置３の通信部３３と近距離無線通信を行うことができる。
【００３１】
本実施の形態によれば、図１に示す状況下において、携帯端末５Ａに記憶されている音楽データを、データ記憶装置３との近距離無線通信を通じて携帯端末５Ｂへ送信することが可能である。具体的には、データ記憶装置３は、近距離無線通信を通じて携帯端末５Ａから音楽データを受信して（矢印Ａに対応）、受信した音楽データを外部記憶部３２に記憶し、さらに、携帯端末５Ｂは、近距離無線通信を通じてデータ記憶装置３に記憶された音楽データを受信して（矢印Ｂに対応）、受信したデータを外部記憶部５２に記憶することが可能である。以下、携帯端末５Ａ，５Ｂとデータ記憶装置３との間で行われる通信処理の詳細について説明する。
【００３２】
なお、以下で説明される処理のアルゴリズムは、データ記憶装置３・携帯端末５（５Ａ，５Ｂ）の外部記憶部３２，５２に制御プログラムとして記憶されており、動作開始の際に主記憶部３１，５１に読み出されて制御部３０，５０によって実行される。
【００３３】
図４は、携帯端末５Ａとデータ記憶装置３との間で行われる通信処理（図１の矢印Ａに対応）を示すフローチャートである。
【００３４】
まず、携帯端末５Ａは、データ記憶装置３と近距離無線通信が可能な範囲内に入ったか否かを判断する（ステップＳ１０１）。
【００３５】
携帯端末５Ａを所持するユーザが地下鉄の車両７内に乗車していない際には、携帯端末５Ａは、データ記憶装置３と通信可能な範囲内に入っていないと判断し（ステップＳ１０１でＮＯ）、データ記憶装置３と通信可能な状態になるまで待機する。
【００３６】
一方、ユーザが地下鉄の車両７内に乗車することで、データ記憶装置３と通信可能な範囲内に入ったと判断された場合には（ステップＳ１０１でＹＥＳ）、携帯端末５Ａは、自端末の外部記憶部５２に記憶されている音楽データを、近距離無線通信を通じて、データ記憶装置３に送信する（ステップＳ１０２）。
【００３７】
そして、データ記憶装置３は、携帯端末５Ａから送信された音楽データを受信し（ステップＳ１０３）、受信した音楽データを外部記憶部３２に記憶する（ステップＳ１０４）。以上の処理により、携帯端末５Ａに記憶されていた音楽データが、データ記憶装置３に記憶される。
【００３８】
次に、携帯端末５Ｂとデータ記憶装置３との間で行われる通信処理（図１の矢印Ｂに対応）について図５を用いて説明する。
【００３９】
まず、携帯端末５Ｂは、データ記憶装置３と通信可能な範囲内に入ったか否かを判断する（ステップＳ２０１）。
【００４０】
そして、携帯端末５Ｂを所持するユーザが地下鉄の車両７内に乗車することで、データ記憶装置３と通信可能な範囲内に入ったと判断された場合には（ステップＳ２０１でＹＥＳ）、携帯端末５Ｂは、データ記憶装置３に対して外部記憶部３２に記憶されている音楽データのリストの送信要求を行う（ステップＳ２０２）。
【００４１】
そして送信要求を受けたデータ記憶装置３は、外部記憶部３２に記憶されている音楽データのリストを、携帯端末５Ｂに送信する（ステップＳ２０３）。
【００４２】
そして、携帯端末５Ｂは、データ記憶装置３から音楽データのリストを受信して（ステップＳ２０４）、受信したリストを表示部５４に表示する（ステップＳ２０５）。
【００４３】
そして、携帯端末５Ｂは、表示部５４に表示したリストの中から、ユーザが所望する音楽データの選択を受け付ける（ステップＳ２０６）。この際には、ユーザは、携帯端末５Ｂの操作部５３を操作することで、表示部５４に表示されたリストの中から所望の音楽データを選択する。
【００４４】
そして、携帯端末５Ｂは、データ記憶装置３に対して、ステップＳ２０６で選択された音楽データを識別する識別情報（例えば音楽データの曲名）を送信する（ステップＳ２０７）。
【００４５】
そして、データ記憶装置３は、携帯端末５Ｂから識別情報を受信して（ステップＳ２０８）、受信した識別情報に基づき、携帯端末５Ｂのユーザが所望する音楽データを携帯端末５Ｂに送信する（ステップＳ２０９）。
【００４６】
そして、携帯端末５Ｂは、データ記憶装置３から送信された音楽データを受信して（ステップＳ２１０）、受信した音楽データを外部記憶部５２に記憶する（ステップＳ２１１）。
【００４７】
以上の図４，５の処理によれば、公衆無線通信網の圏外において、携帯端末５はデータ記憶装置３との近距離無線通信を通じてデータの送受信を行うので、携帯端末５にデータを確実に読み込ませることができる。
【００４８】
また、近距離通信網の範囲内に存在する携帯端末５から送信されたデータをデータ記憶装置３に記憶させるようにしていることで、近距離通信網の範囲内に多くの携帯端末５が入ってくることで、データ記憶装置３には多様なデータが記憶される。その結果、携帯端末５は、多様なデータをデータ記憶装置３から受信することができる。
【００４９】
また、データ記憶装置３に記憶されているデータは、携帯端末５が記憶・送信したデータであるため、多くの携帯端末５に記憶されているデータほど、データ記憶装置３に記憶される可能性が高くなる。これにより、多くの携帯端末５に記憶される人気のあるデータほど、データ記憶装置３から受信できる確率が高くなる。
【００５０】
なお、図４に示す処理は、図６に示す処理に変更してもよい。以下、図６の処理について具体的に説明する。
【００５１】
まず、携帯端末５Ａは、図４のステップＳ１０１と同様、データ記憶装置３と通信可能な範囲内に入ったか否かを判定する（ステップＳ３０１）。
【００５２】
そして、ステップＳ３０１でデータ記憶装置３と通信可能な範囲内に入ったと判定された場合（ステップＳ３０１でＹＥＳ）には、携帯端末５Ａは、自端末の外部記憶部５２に記憶されている音楽データのリストを、データ記憶装置３に送信する（ステップＳ３０２）。
【００５３】
そして、データ記憶装置３は、携帯端末５Ａから送信されたリストを受信し（ステップＳ３０３）、リストに示される音楽データのうち、自装置の外部記憶部３２に記憶されていない音楽データが存在するか否かを判断する（ステップＳ３０４）。
【００５４】
リストに表示された音楽データが、全て外部記憶部３２に記憶されていると判断された場合には（ステップＳ３０４でＮＯ）、図６に示す処理は終了する。
【００５５】
一方、外部記憶部３２に記憶されていない音楽データが存在する場合には（ステップＳ３０４でＹＥＳ）、データ記憶装置３は、外部記憶部３２に記憶されていない音楽データを識別する識別情報（例えば音楽データの曲名）を携帯端末５Ａに送信する（ステップＳ３０５）。
【００５６】
そして、携帯端末５Ａは、データ記憶装置３から識別情報を受信して（ステップＳ３０６）、受信した識別情報に基づき、上述のデータ記憶装置３（外部記憶部３２）に記憶されていない音楽データをデータ記憶装置３に送信する（ステップＳ３０７）。
【００５７】
そして、データ記憶装置３は、携帯端末５Ａから音楽データを受信して（ステップＳ３０８）、受信した音楽データを外部記憶部３２に記憶する（ステップＳ３０９）。
【００５８】
以上の処理によれば、データ記憶装置３に記憶されていない音楽データのみが、携帯端末５からデータ記憶装置３に送信される。これにより、携帯端末５とデータ記憶装置３との間で通信が行われるデータ量を小さく抑えることができ、また、同一の音楽データが重複してデータ記憶装置３に記憶される無駄を省くことができる。
【００５９】
また、図４，６に示す処理には、同一の音楽データが記憶されていた携帯端末５の数を測定するための処理を追加することができる。図７に示す処理は、この追加可能な処理を示しており、図４のステップＳ１０３や図６のステップＳ３０３の後に実行される（例えばＳ１０３，Ｓ３０３の直後に実行される）。以下、図７の処理について詳細に説明する。
【００６０】
まず、データ記憶装置３は、後述の計測テーブル（図８参照）が外部記憶部３２に記憶されているか否かを判断する（ステップＳ４０１）。
【００６１】
図８は、計測テーブルの例を示す図である。計測テーブルでは、データ記憶装置３がステップＳ１０３で携帯端末５から受信した音楽データの曲名（又はステップＳ３０３で携帯端末５から受信したリストに示される曲名）と、これら曲名の音楽データを送信してきた携帯端末５の数（或いは曲名が示されたリストを送信してきた携帯端末５の数）とが示されている。
【００６２】
図７の処理の初回実行時には、計測テーブルは未だ作成されておらず、データ記憶装置３は、ステップＳ４０１でＮＯと判断して、計測テーブルの作成を行う（ステップＳ４０２）。図８の左側のテーブルは、初回の処理で作成されるテーブルの例を示しており、ステップＳ１０３で受信した音楽データの曲名（又はステップＳ３０３で受信したリストに示されていた曲名）が記されるとともに、各曲名に対して携帯端末の数「１」が付されている。
【００６３】
次に、データ記憶装置３は、ステップＳ４０２で作成した計測テーブルを外部記憶部３２に記憶する（ステップＳ４０３）。以上で、初回の処理は終了する。
【００６４】
そして、データ記憶装置３は、他の携帯端末５と図４の処理や図６の処理を行った際には、再び図７の処理を実行することになる。
【００６５】
この再度の処理におけるステップＳ４０１では、先の処理により既に計測テーブルが外部記憶部３２に記憶されていることから、ＹＥＳと判断される。
【００６６】
そして、データ記憶装置３は、図４，６のステップＳ１０３，３０３で他の携帯端末５から受信した音楽データやリストに基づき、計測テーブルの更新を行う（ステップＳ４０４）。具体的には、新たに受信した音楽データの曲名（又は新たに受信したリストに示される曲名）のうち、計測テーブルに示されていない曲名については、その曲名が計測テーブルに新たに追加されるとともに、該追加された曲名に携帯端末の数「１」が付される。また、既に計測テーブルに示されている曲名については、その曲名に付されている携帯端末の数に、「１」が加算される。
【００６７】
図８の右側のテーブルは、図４のステップＳ１０３で曲名「Ｂ」「Ｄ」「Ｅ」「Ｆ」の音楽データが受信されたり、或いは図６のステップＳ３０３で曲名「Ｂ」「Ｄ」「Ｅ」「Ｆ」が示されたリストが受信されることで、左側のテーブルが更新された結果を示している。この右側のテーブルでは、左側のテーブルに示されていなかった曲名として、曲名「Ｅ」「Ｆ」が新たに追加され、これら曲名「Ｅ」「Ｆ」に対して携帯端末の数「１」が付されている。また、左側の計測テーブルに既に示されていた曲名「Ｂ」「Ｄ」については、携帯端末の数は、「１」が加算されて「２」となっている。このように更新された右側のテーブルによれば、曲名「Ｂ」「Ｄ」の音楽データは２つの携帯端末５に記憶され、曲名「Ａ」「Ｃ」「Ｅ」「Ｆ」の音楽データは１つの携帯端末５に記憶されていることを把握することができる。
【００６８】
そしてステップＳ４０４で計測テーブルの更新が行われると、データ記憶装置３は、更新した計測テーブルを上書きして外部記憶部３２に記憶する（ステップＳ４０５）。
【００６９】
以上の図７に示す処理によれば、計測テーブルに示されるデータ（曲名・携帯電話の数）が取得されることで、同一の音楽データが記憶されていた携帯端末５の数を把握することができる。これにより、携帯端末５のマーケティングや、近距離無線通信の通信範囲内（図１では地下鉄の車両７内）に存在するユーザの嗜好に合わせた広告やランキングを作成するための有用な情報が得られる。
【００７０】
また、計測テーブルに示されるデータをユーザに通知することで、ユーザに人気のある音楽データを知らせることができる。この通知は、例えば、データ記憶装置３から携帯端末５へ近距離無線通信を利用して計測テーブルを送信することで実現できる。
【００７１】
また、図５の処理は、図９に示す処理に変更することができる。図９の処理は、携帯端末５によりインターネット等のネットワークを介した音楽データの購入手続きが可能であるとともに、購入した音楽データや購入済みの音楽データのリスト（以下、購入済みリスト）を携帯端末５に受信・記憶させることが可能である場合に実行される。この場合、携帯端末５には、上述の音楽データ等の購入・受信を可能とするために、ネットワークと無線接続を行う通信部が設けられる。
【００７２】
以下、図９の処理について、携帯端末５Ｂ（図１参照）の外部記憶部５２に購入済みの音楽データと購入済みリストとが記憶されている場合を例に説明する。なお、購入済みリストに示される音楽データには、既に携帯端末５Ｂの外部記憶部５２に記憶されている音楽データと、未だ携帯端末５Ｂの外部記憶部５２に記憶されていない音楽データとが含まれる。
【００７３】
まず、携帯端末５Ｂは、データ記憶装置３と通信可能な範囲内に入ったか判断する（ステップＳ５０１）。
【００７４】
そして、通信可能な範囲内に入ったと判断した場合には（ステップＳ５０１でＹＥＳ）、携帯端末５Ｂは、購入済みリストに示される音楽データのうち、未だ外部記憶部５２に記憶されていない音楽データを抽出する（ステップＳ５０２）。
【００７５】
そして、携帯端末５Ｂは、ステップＳ５０２で抽出された音楽データが記されたリスト（以下、未記憶データリスト）を、データ記憶装置３に送信する（ステップＳ５０３）。
【００７６】
そして、データ記憶装置３は、携帯端末５Ｂから送信された未記憶データリストを受信して（ステップＳ５０４）、未記憶データリストに示される音楽データが、外部記憶部３２に記憶されているか否かを判断する（ステップＳ５０５）。
【００７７】
未記憶リストの音楽データが外部記憶部３２に記憶されていないと判断された場合には（ステップＳ５０５でＮＯ）、データ記憶装置３は、携帯端末５Ｂに、未記憶データリストに示される音楽データを送信することができない旨の通知を行う（ステップＳ５０６）。
【００７８】
そして、携帯端末５Ｂは、データ記憶装置３から上述の通知を受信して（ステップＳ５０７）、自端末の表示部５４に表示する（ステップＳ５０８）。これにより、携帯端末５Ｂのユーザは、データ記憶装置３に購入済みの音楽データが記憶されていないことを把握することができる。
【００７９】
一方、ステップＳ５０５で、未記憶データリストに示される音楽データが外部記憶部５２に記憶されていると判断された場合には（ステップＳ５０５でＹＥＳ）、データ記憶装置３は、未記憶データリストに示される音楽データのうち、外部記憶部３２に記憶されている音楽データを抽出する（ステップＳ５０９）。
【００８０】
そして、データ記憶装置３は、ステップＳ５０２で抽出された音楽データが記されたリスト（以下、記憶済みデータリスト）を、携帯端末５Ｂに送信する（ステップＳ５１０）。
【００８１】
次に、携帯端末５Ｂは、データ記憶装置３から記憶済みデータリストを受信して（ステップＳ５１１）、受信した記憶済みデータリストを表示部５４に表示する（ステップＳ５１２）。
【００８２】
次に、携帯端末５Ｂは、表示部５４に表示された記憶済みデータリストの中から、ユーザが所望する音楽データの選択を受け付ける（ステップＳ５１３）。この際に、ユーザは、操作部５３を操作することで、表示部５４に表示された記憶済みデータリストの中から、所望の音楽データを選択する。
【００８３】
そして、携帯端末５Ｂは、データ記憶装置３に対して、ステップＳ５１３で選択された音楽データを識別する識別情報（音楽データの曲名）を送信する（ステップＳ５１４）。
【００８４】
そして、データ記憶装置３は、携帯端末５Ｂから識別情報を受信して（ステップＳ５１５）、受信した識別情報に基づき、携帯端末５Ｂのユーザが所望する音楽データを、携帯端末５Ｂに送信する（ステップＳ５１６）。
【００８５】
そして、携帯端末５Ｂは、データ記憶装置３から送信された音楽データを受信して（ステップＳ５１７）、受信した音楽データを外部記憶部５２に記憶する（ステップＳ５１８）。
【００８６】
以上の処理によれば、携帯端末５により購入された音楽データのみが、データ記憶装置３から携帯端末５に送信されるので、携帯端末５のユーザは、購入していない音楽データについては入手することはできない。これにより、音楽データの適正な取引を図る上で有利になる。
【００８７】
また、購入された音楽データのみが携帯端末５に記憶されるので、不要な音楽データが携帯端末５に記憶される無駄を省くことが可能である。
【００８８】
また、図９に示す処理では、図１０に示す処理が追加され得る。図１０の処理は、データ記憶装置３が、インターネット等のネットワーク上にある外部サーバから音楽データを取得する処理であって、図９のステップＳ５０５で未記憶データリストに示される音楽データがデータ記憶装置３に記憶されていないと判断される場合（ステップＳ５０５でＮＯ）に実行される。
【００８９】
なお、図１０の処理が実行されるためには、データ記憶装置３に、上述のネットワークと無線通信による接続を行う通信部が設けられ、当該通信部は、例えば地下鉄の車両７が駅構内に到着すること等によって、ネットワークに接続される。また、図１０の処理が実行される場合には、図９のステップＳ５０６、５０７、５０８は省略される。
【００９０】
まず、データ記憶装置３は、上述の通信部がネットワークに接続された否かを判断する（ステップＳ６０１）。
【００９１】
ネットワークに接続されていないと判断される場合には（ステップＳ６０１でＮＯ）、データ記憶装置３は、ネットワークと接続されるまで待機する。
【００９２】
一方、地下鉄の車両７が駅構内に到着するなどして、ネットワークと接続されたと判断された場合（ステップＳ６０１でＹＥＳ）、データ記憶装置３は、未記憶データリストに示される音楽データを、ネットワークを通じて外部サーバから受信して（ステップＳ６０２）、外部記憶部３２に記憶する（ステップＳ６０３）。
【００９３】
この後、図９のステップＳ５０９以降の処理が実行されることで、図１０のステップＳ６０３で記憶された音楽データも示された記憶済みデータリストが携帯端末５Ｂに送信される。そして、携帯端末５Ｂのユーザは、この記憶済みデータリストに示される音楽データの中から、所望の音楽データを選択することで、所望の音楽データを携帯端末５Ｂに受信させることができる。
【００９４】
以上の図１０に示す処理によれば、携帯端末５のユーザが所望する音楽データがデータ記憶装置３に記憶されていない場合には、データ記憶装置３は、その音楽データを外部サーバから入手して、携帯端末５に送信する。これにより、携帯端末５のユーザは、所望の音楽データを確実に入手することができる。
【００９５】
また、図５に示す処理は、図１１に示す処理に変更することができる。図１１に示す処理は、携帯端末５に、相手端末５と無線通信を行う通信部が設けられる場合に実行されるものであって、一の携帯端末５（図１では携帯端末５Ｂ）のユーザが所望する音楽データが他の携帯端末５（図１では携帯端末５Ａ）に記憶されている場合、一の携帯端末５（携帯端末５Ｂ）が、他の携帯端末５（携帯端末５Ａ）から所望の音楽データを取得することを可能とするものである。以下、図１１の処理について説明する。
【００９６】
まず、携帯端末５Ｂは、ユーザが所望する音楽データの識別情報（具体的には曲名）の登録を受け付ける（ステップＳ７０１）。
【００９７】
図１２は、ステップＳ７０１で携帯端末５Ｂの表示部５４に表示される画像を示している。この画像では、音楽データの曲名が入力される入力ボックス６０が表示されており、ユーザは、図１２の画像の表示中に操作部５３を操作することで、入力ボックス６０に所望の音楽データの曲名を入力する。そして、携帯端末５Ｂは、入力された曲名を外部記憶部５２に記憶する。
【００９８】
そして、携帯端末５Ｂは、データ記憶装置３と通信可能な範囲内に入ったか判断し（ステップＳ７０２）、通信可能な範囲内に入ったと判断した場合には（ステップＳ７０２でＹＥＳ）、携帯端末５Ａに対して、ステップＳ７０１で登録した識別情報（曲名）を送信する（ステップＳ７０３）。
【００９９】
そして、携帯端末５Ａは、携帯端末５Ｂから識別情報を受信して（ステップＳ７０４）、受信した識別情報に基づき、携帯端末５Ｂのユーザが所望する音楽データが、外部記憶部５２に記憶されているか否かを判断する（ステップＳ７０５）。
【０１００】
所望の音楽データが記憶されていないと判断された場合には（ステップＳ７０５でＮＯ）、携帯端末５Ａは、携帯端末５Ｂに音楽データを送信することが出来ない旨の通知を行う（ステップＳ７０６）。
【０１０１】
そして、携帯端末５Ｂは、携帯端末５Ａから上述の通知を受信して（ステップＳ７０７）、表示部５４に表示する（ステップＳ７０８）。これにより、携帯端末５Ｂのユーザは、携帯端末５Ａに所望の音楽データが記憶されていないことを把握することができる。
【０１０２】
一方、ステップＳ７０５で、携帯端末５Ｂのユーザが所望する音楽データが、携帯端末５Ａの外部記憶部５２に記憶されていると判断された場合には（ステップＳ７０５でＹＥＳ）、携帯端末５Ａは、所望の音楽データをデータ記憶装置３に送信する（ステップＳ７０９）。
【０１０３】
そして、データ記憶装置３は、携帯端末５Ａから送信された音楽データを受信・記憶して（ステップＳ７１０，７１１）、携帯端末５Ｂに送信する（ステップＳ７１２）。
【０１０４】
そして、携帯端末５Ｂは、データ記憶装置３から送信された音楽データを受信して（ステップＳ７１３）、受信した音楽データを外部記憶部５２に記憶する（ステップＳ７１４）。
【０１０５】
以上の処理によれば、一の携帯端末５のユーザが所望するデータが他の携帯端末５に記憶されている場合には、そのデータが他の携帯端末５からデータ記憶装置３を通じて一の携帯端末５に送信される。これにより、携帯端末５のユーザに所望のデータを入手させるために、他の携帯端末５に記憶されている音楽データが有効利用される。
【０１０６】
なお、ステップＳ７０９における音楽データの送信処理は、携帯端末５Ａから携帯端末５Ｂへ無線通信により音楽データが直接送信されてもよい（破線参照）。このようにすることで、携帯端末５とデータ記憶装置３との間の通信頻度を小さく抑えることができる。
【０１０７】
また、ステップＳ７０３における識別情報の送信は、近距離無線通信を通じて携帯端末５Ｂからデータ記憶装置３に向けて行われてもよい（破線参照）。この場合、データ記憶装置３は、携帯端末５Ｂから受信した識別情報を携帯端末５Ａに送信し（破線参照）、この後、ステップＳ７０４以降の処理が行われる。
【０１０８】
また、図５，９，１１に示す処理には、図１３に示す処理が追加される。この処理は、携帯端末５（図１では携帯端末５Ｂ）がデータ記憶装置３から受信した音楽データを、確実に携帯端末５（図１では携帯端末５Ｂ）の外部記憶部５２に記憶させるために行われるものである。図１３に示す処理は、図５のステップＳ２１０の直後、図９のステップＳ５１７の直後、あるいは図１１のステップＳ７１３の直後に実行される。以下、図１３の処理について具体的に説明する。
【０１０９】
まず、携帯端末５Ｂは、ステップＳ２１０，５１７，７１３で受信した音楽データが自端末の外部記憶部５２に記憶可能か否かを判断する（ステップＳ８０１）。具体的には、外部記憶部５２に、受信した音楽データを記憶可能な空き容量が存在するか否かを判断する。
【０１１０】
空き容量が存在すると判断された場合には（ステップＳ８０１でＹＥＳ）、携帯端末５Ｂは、図５，９，１１のステップＳ２１１，５１８，７１４を実行して、受信した音楽データを外部記憶部５２に記憶する。
【０１１１】
一方、空き容量が存在しないと判断された場合には（ステップＳ８０１でＮＯ）、携帯端末５Ｂは、外部記憶部５２に記憶されている音楽データのうち、消去してもよい音楽データの選択を受け付ける（ステップＳ８０２）。図１４は、この処理において、携帯端末５Ｂの表示部５４に表示される画像を示している。この画像では、携帯端末５Ｂの外部記憶部５２に記憶された音楽データの曲名が列挙されており、これら各曲名に対してチェックボックス７０が設けられている。図１４の画像の表示中に、ユーザは、操作部５３を操作して、消去を行ってよい曲のチェックボックス７０にチェックを行う。この結果、チェックの行われた曲名の音楽データが、消去する音楽データとして選択される。
【０１１２】
そして、携帯端末５Ｂは、ステップＳ８０２で選択された音楽データを消去して（ステップＳ８０３）、ステップＳ８０１に復帰する。
【０１１３】
このステップＳ８０１，８０２，８０３の処理の流れは、ステップＳ８０１で記憶可能な空き容量が存在すると判断されるまで繰り返される。そして、ステップＳ８０１で空き容量が存在すると判断された場合には（ステップＳ８０１でＹＥＳ）、この後、図５，９，１１のステップＳ２１１，５１８，７１４が実行されることで、ステップＳ２１０，５１７，７１３で受信した音楽データが、携帯端末５Ｂの外部記憶部５２に記憶される。
【０１１４】
以上の処理によれば、携帯端末５の外部記憶部５２に記憶されている不要な音楽データが消去されることで、外部記憶部５２において、受信した音楽データを記憶可能な空き容量が確保される。これにより、携帯端末５に受信した音楽データを確実に記憶させることができる。
【０１１５】
本発明は、上記した実施形態のみに限定されるものではなく、特許請求の範囲内において、種々改変することができる。
【０１１６】
例えば、携帯端末５とデータ記憶装置３との間の通信は、有線による方法など他の通信方法によって行われても良い。
【０１１７】
また、データ記憶装置３は、地下鉄の車両７内に限らず、携帯端末５の公衆無線通信網の圏外となる任意の場所に設置され得る。
【０１１８】
また、携帯端末５は、音楽プレイヤーに限らず、ビデオプレイヤー、ゲーム機、パソコン、ＰＤＡ（Personal Digital Assistant）であっても良い。
【０１１９】
また、データ記憶装置３と携帯端末５との間で送受信が行われるデータは、音楽データに限らず、画像、映像、文書、ソフトウェア、書籍などのデータ、インターネットのＨＴＴＰ情報であってもよい。データがインターネットのＨＴＴＰ情報である場合には、データ記憶装置３にはインターネットに接続するための通信部が設けられ、当該通信部はＨＴＴＰ情報に基づきホームページの画像を受信して、データ記憶装置３の外部記憶部３２はホームページの画像を記憶する。そして、データ記憶装置３に記憶されたホームページの画像は、携帯端末５のユーザに閲覧させるために携帯端末５からの要求に応じて携帯端末５に送信されて、携帯端末５の表示部に表示される。
【０１２０】
本発明に係るデータ通信システムについて、好ましくは、データ記憶手段は、近距離無線通信によりデータを送信してきた携帯端末のうち、同一のデータを送信した携帯端末の数を計測する計測手段を備えることを特徴とする。
【０１２１】
また、あるいはさらに、前記データ記憶手段は、当該データ記憶手段に記憶されているデータのリストを、前記近距離無線通信の通信範囲内に存在する前記携帯端末に送信し、前記リストを受信した前記携帯端末は、前記リストに示されるデータの中からユーザが所望するデータの選択を受け付けるとともに、当該選択を受けたデータを前記データ記憶手段から受信して記憶することを特徴とする。
【０１２２】
また、あるいはさらに、前記携帯端末は、ユーザが所望するデータを識別する識別情報を、他の携帯端末との無線通信、或いは前記近距離無線通信による前記データ記憶手段との通信を介して、前記他の携帯端末に送信し、前記他の携帯端末は、前記識別情報に基づき前記所望のデータが記憶されているか否かを判定し、前記所望のデータが記憶されていると判定した場合、前記所望のデータを、前記識別情報を送信した前記携帯端末との無線通信、或いは前記近距離無線通信による前記データ記憶手段との通信を介して、前記識別情報を送信した前記携帯端末へ送信し、当該送信されたデータは、前記識別情報を送信した前記携帯端末において受信され記憶されることを特徴とする。
【符号の説明】
【０１２３】
１    データ通信システム
３    データ記憶装置
５，５Ａ，５Ｂ    携帯端末
３０    制御部
３１    主記憶部
３２    外部記憶部
３３    通信部
３４    内部バス
５０    制御部
５１    主記憶部
５２    外部記憶部
５３    操作部
５４    表示部
５５    通信部
５６    内部バス
６０    入力ボックス
７０    チェックボックス
【図１】
2010226677.tif 000003
【図２】
2010226677.tif 000004
【図３】
2010226677.tif 000005
【図４】
2010226677.tif 000006
【図５】
2010226677.tif 000007
【図６】
2010226677.tif 000008
【図７】
2010226677.tif 000009
【図８】
2010226677.tif 000010
【図９】
2010226677.tif 000011
【図１０】
2010226677.tif 000012
【図１１】
2010226677.tif 000013
【図１２】
2010226677.tif 000014
【図１３】
2010226677.tif 000015
【図１４】
2010226677.tif 000016